(57)【要約】【課題】  ビットレートが各々異なる複数の受信信号について受信処理を対応可能にすることで、利便性に富んだ光信号受信装置を得る。【解決手段】  光ファイバ２を通じて受信される光信号を電気信号に変換するＯ／Ｅコンバータ３と、その電気信号からクロックを再生するクロック再生部４と、その再生クロックのクロックレートを判定するクロックレート判定部５と、各々異なるビットレートに対応した受信信号処理部９，１０と、その判定されたクロックレートに応じて、電気信号および再生クロックの出力先となる受信信号処理部９，１０を切り替える自動切替部７およびセレクタ部８とを１つのＩ／Ｆカードに搭載するようにしたので、ビットレートが各々異なる複数の受信信号について受信処理を対応可能にすることができ、受信信号の異なるビットレート毎にＩ／Ｆカードを用意することなく、利便性に富んだ光信号受信装置が得られる。【選択図】        図１
2005348047.tif 000002
【特許請求の範囲】
【請求項１】
受信される光信号を電気信号に変換する光電気変換部と、
上記光電気変換部により変換された電気信号からクロックを再生するクロック再生部と、
上記クロック再生部による再生クロックのクロックレートを判定するクロックレート判定部と、
各々異なるビットレートに対応して設けられ、入力される電気信号を入力される再生クロックに基づいて信号処理する複数の受信信号処理部と、
上記クロックレート判定部により判定されたクロックレートに応じて、上記光電気変換器により変換された電気信号および上記クロック再生部による再生クロックの出力先となる上記受信信号処理部を切り替える自動切替部とを備えた光信号受信装置。
【請求項２】
クロックレート判定部は、
基準クロックを発生する基準クロック発生部を備え、
クロック再生部による再生クロックと上記基準クロック発生部による基準クロックとの比較に応じて、その再生クロックのクロックレートを判定することを特徴とする請求項１記載の光信号受信装置。
【発明の詳細な説明】
【技術分野】
【０００１】
この発明は、受信される光信号を信号処理する光信号受信装置に関するものである。
【背景技術】
【０００２】
従来の光信号受信装置としては、入力データ信号の周波数を検出し、その検出した周波数に応じた分周比制御信号を出力する周波数検出器と、その分周比制御信号に応じて分周比を切り替えるＰＬＬに設けられた分周器とを備えたものがある（例えば、特許文献１参照）。
また、従来の光信号受信装置としては、受信信号のビットレートを検出するビットレートを検出器と、そのビットレートに応じて分周比を切り替えるＰＬＬに設けられた分周器とを備えたものがある（例えば、特許文献２参照）。
【０００３】
【特許文献１】特開２００１−１５６７５８号公報
【特許文献２】特開２０００−４０９６０号公報
【発明の開示】
【発明が解決しようとする課題】
【０００４】
従来の光信号受信装置は以上のように構成されているので、受信信号の周波数あるいはビットレートに応じてＰＬＬに設けられた分周器の分周比を制御するものであり、ビットレートが各々異なる複数の受信信号について受信処理をすることができないなどの課題があった。
【０００５】
この発明は上記のような課題を解決するためになされたもので、ビットレートが各々異なる複数の受信信号について受信処理を対応可能にすることで、利便性に富んだ光信号受信装置を得ることを目的とする。
【課題を解決するための手段】
【０００６】
この発明に係る光信号受信装置は、受信される光信号を電気信号に変換する光電気変換部と、変換された電気信号のクロックを再生するクロック再生部と、再生クロックのクロックレートを判定するクロックレート判定部と、各々異なるビットレートに対応して設けられ、入力される電気信号を入力される再生クロックに基づいて信号処理する複数の受信信号処理部と、判定されたクロックレートに応じて、電気信号および再生クロックの出力先となる受信信号処理部を切り替える自動切替部とを備えたものである。
【発明の効果】
【０００７】
この発明によれば、各々異なるビットレートに対応した複数の受信信号処理部を設けると共に、受信された電気信号から再生クロックのクロックレートを判定するクロックレート判定部を設け、自動切替部により、その判定されたクロックレートに応じて、光電気変換器により変換された電気信号およびクロック再生部による再生クロックの出力先となる受信信号処理部を切り替えるように構成したので、ビットレートが各々異なる複数の受信信号について受信処理を対応可能にすることで、受信信号の異なるビットレート毎に装置を複数用意することなく、利便性に富んだ光信号受信装置が得られる効果がある。
【発明を実施するための最良の形態】
【０００８】
実施の形態１．
図１はこの発明の実施の形態１による光信号受信装置を示すブロック図であり、図において、光信号受信装置１は、受信される光信号を、その再生クロックに基づいて受信信号処理するものである。
その光信号受信装置１において、Ｏ／Ｅコンバータ（光電気変換部）３は、光ファイバ２を通じて受信される光信号を電気信号に変換するものである。クロック再生部４は、Ｏ／Ｅコンバータ３により変換された電気信号からクロックを再生するものである。クロックレート判定部５は、クロック再生部４による再生クロックと発振器（基準クロック発生部）６により発生された基準クロックとの比較に応じて、その再生クロックのクロックレートを判定するものである。自動切替部７は、クロックレート判定部５により判定されたクロックレートに応じて、セレクタ部（自動切替部）８を操作し、Ｏ／Ｅコンバータ３により変換された電気信号およびクロック再生部４による再生クロックの出力先となる受信信号処理部９，１０を切り替えるものである。受信信号処理部９，１０は、各々異なるビットレートに対応して設けられ、セレクタ部８を通じて入力される電気信号を入力されるクロックに基づいて受信信号処理するものである。
【０００９】
次に動作について説明する。
ＷＤＭ（波長多重伝送）における光通信技術には、複数の波長およびビットレートが存在する。例えば、９．９５ＧｂｐｓのＳＴＭ−６４、２．５ＧｂｐｓのＳＴＭ−１６、１５５ＭｂｐｓのＳＴＭ−４、イーサネット（登録商標）系では１００ＢＡＳＥ、１００００ＢＡＳＥ等がそれである。従来の光信号受信装置としては、このような複数のビットレートにそれぞれ対応するＩ／Ｆ（インタフェース）カードを使用することにより実現している。より具体的には、ビットレートに応じてＩ／Ｆカード全体を置き換える方式が一般的である。
このように、複数種のＩ／Ｆカードを製造して用意することは、システムの簡易性および保守性の観点からもあまり好ましい形態ではない。この実施の形態１では、受信される光信号に対して、クロック再生部４よる再生クロックのクロックレートをクロックレ−ト判定部５により判定し、それぞれのビットレートに応じた受信信号処理部９，１０に自動的にセレクタ部８を切り替える機能を１つのＩ／Ｆカードに搭載することにより、受信信号の異なるビットレート毎にＩ／Ｆカードを用意することなく、利便性に富んだ装置を実現するものである。図１では、その例として、２種類のビットレートに対応可能な構成を示したものである。
【００１０】
図２はこの発明の実施の形態１による光信号受信装置の動作を示すフローチャートであり、図１および図２に基づいて光信号受信装置の動作を説明する。
光ファイバ２を通じて光信号が入力してくると（ステップＳＴ１：ＹＥＳ）、Ｏ／Ｅコンバータ３は、その光信号を電気信号に変換する（ステップＳＴ２）。光信号が入力してこない場合（ステップＳＴ１：ＮＯ）は、ステップＳＴ１の状態で待つ。クロック再生部４は、Ｏ／Ｅコンバータ３により変換された電気信号からクロックを再生する（ステップＳＴ３）。その再生クロックは、クロックレート判定部５にてクロックレートが判定され（ステップＳＴ４）、判定されたクロックレートがＡｂｐｓの場合（ステップＳＴ５：ＹＥＳ）は、自動切替部７にクロックレートＡｂｐｓを指示し（ステップＳＴ６）、自動切替部７からセレクタ部８にＡｂｐｓのパスに切替要求を出力する（ステップＳＴ７）。クロックレート判定部５にて判定されたクロックレートがＡｂｐｓでない場合（ステップＳＴ５：ＮＯ）は、クロックレートがＢｂｐｓか判定され（ステップＳＴ８）、Ｂｂｐｓではない場合（ステップＳＴ８：ＮＯ）は、ステップＳＴ４に戻り、クロックレート判定部５にてクロックレートが再び判定される。クロックレートがＢｂｐｓの場合（ステップＳＴ８：ＹＥＳ）は、自動切替部７にクロックレートＢｂｐｓを指示し（ステップＳＴ９）、自動切替部７からセレクタ部８にＢｂｐｓのパスに切替要求を出力する（ステップＳＴ１０）。自動切替指示はセレクタ部８にて実行され（ステップＳＴ１１）、切替を完了する。
このようにして、セレクタ部８を通じて入力される電気信号のビットレートに対応した受信信号処理部９または受信信号処理部１０では、セレクタ部８を通じて入力される電気信号を入力される再生クロックに基づいて受信信号処理する。
切替完了後は、光信号が入力しているかを監視し、入力していない場合（ステップＳＴ１２：ＮＯ）に、光信号が入力しているかを監視するステップＳＴ１に戻る。また、光信号が入力している場合（ステップＳＴ１２：ＹＥＳ）は、クロックレート判定部５の判定に変化がないかを確認し、変化がない場合（ステップＳＴ１３：ＹＥＳ）は、ステップＳＴ１１に戻る。また、変化がある場合（ステップＳＴ１３：ＮＯ）は、ステップＳＴ５に戻る。
【００１１】
図３はクロックレート判定部の詳細を示すブロック図であり、図において、分周器１１は、クロック再生部４による再生クロックを分周するものである。クロックカウント部１２は、分周器１１による分周クロックの１周期における発振器６により発生された基準クロックをカウントし、そのカウント値を出力するものである。レートカウント値設定部１３は、各カウント値に応じたクロックレートがクロックレートテーブルとして予め設定されたものである。レート判定部１４は、クロックカウント部１２によるカウント値に応じたクロックレートを、レートカウント値設定部１３に設定されたクロックレートテーブルから抽出し出力するものである。
図３に基づいてクロックレート判定部５の動作を説明する。
クロックレート判定部５は、クロック再生部４による再生クロックを取り込み、取り込まれた再生クロックは、分周器１１により低速クロックに分周される。クロックカウント部１２は、分周器１１により変換された分周クロックの“１”の論理状態立ち上がりから次の“１”の立ち上がりまでの間を、発振器６から取り込んだ基準クロックをカウントし、そのカウント値をレート判定部１４に伝達する。レート判定部１４は、クロックカウント部１２によるカウント値に応じたクロックレートを、レートカウント値設定部１３に設定されたクロックレートテーブルから抽出し出力する。
【００１２】
図４、図５はクロックカウント部におけるクロックカウント方法を示すタイミングチャートである。説明を容易にするためクロック再生部４からの再生クロックは、ケースとして１００ＭＨｚと１５０ＭＨｚとの場合があると仮定し、分周器１１の分周比を３０、発振器６の周波数を２０ＭＨｚとする。図５は１００ＭＨｚのクロックが再生された場合のクロックカウント部１２で検出したカウント値を示す。カウント値は“６”となることが分かる。図５は１５０ＭＨｚのクロックが再生された場合のクロックカウント部１２で検出したカウント値を示す。カウント値は“４”となることが分かる。
図６はクロックレートテーブルを示す説明図であり、図に示すように、レートカウント値設定部１３には、クロックレートテーブルにカウント値“４”でクロックレート１５０ＭＨｚであり、カウント値“６”でクロックレート１００ＭＨｚであると設定しておけば、レート判定部１４でクロックレート判定が可能になる。
【００１３】
なお、上記実施の形態１では、クロックレート１００ＭＨｚと１５０ＭＨｚとに適応可能なビットレートに対応して設けられた２系統の受信信号処理部９，１０に適用したものについて説明したが、３系統以上の受信信号処理部に適用しても良く、この場合、図３におけるレートカウント値設定部１３に設定されたクロックレートテーブルに、それら入力されるクロックレートに対応するそれぞれのカウント値を予め演算し、それらカウント値に応じたクロックレートを予め設定しておくことにより対応が可能となる。
また、上記実施の形態１では、そのクロックレート判定部５において、再生クロックを分周した分周クロックの１周期における基準クロックをカウントし、そのカウント値を出力するようにしたが、発振器６からの基準クロックを分周した分周クロックの１周期における再生クロックをカウントし、そのカウント値を出力するようにしても良く、クロックレートテーブルのカウント値およびクロックレートをそのクロックカウント方法に応じて予め演算して設定しておくことにより、実現することができる。
【００１４】
以上のように、この実施の形態１によれば、各々異なるビットレートに対応した複数の受信信号処理部９，１０を設けると共に、受信された電気信号から再生されたクロックのクロックレートを判定するクロックレート判定部５を設け、自動切替部７およびセレクタ部８により、その判定されたクロックレートに応じて、電気信号および再生クロックの出力先となる受信信号処理部９，１０を切り替える機能を１つのＩ／Ｆカードに搭載するようにしたので、ビットレートが各々異なる複数の受信信号について受信処理を対応可能にすることができ、受信信号の異なるビットレート毎にＩ／Ｆカードを用意することなく、利便性に富んだ光信号受信装置が得られる。
また、クロック再生部４による再生クロックと、受信される光信号とは無関係な発振器６により発生された基準クロックとの比較に応じて、クロック再生部４による再生クロックのクロックレートを判定することにより、容易にクロックレートを判定することができる。
【図面の簡単な説明】
【００１５】
【図１】この発明の実施の形態１による光信号受信装置を示すブロック図である。
【図２】この発明の実施の形態１による光信号受信装置の動作を示すフローチャートである。
【図３】クロックレート判定部の詳細を示すブロック図である。
【図４】クロックカウント部におけるクロックカウント方法を示すタイミングチャートである。
【図５】クロックカウント部におけるクロックカウント方法を示すタイミングチャートである。
【図６】クロックレートテーブルを示す説明図である。
【符号の説明】
【００１６】
１  光信号受信装置、２  光ファイバ、３  Ｏ／Ｅコンバータ（光電気変換部）、４  クロック再生部、５  クロックレート判定部、６  発振器（基準クロック発生部）、７  自動切替部、８  セレクタ部（自動切替部）、９，１０  受信信号処理部、１１  分周器、１２  クロックカウント部、１３  レートカウント値設定部、１４  レート判定部。
【図１】
2005348047.tif 000003
【図２】
2005348047.tif 000004
【図３】
2005348047.tif 000005
【図４】
2005348047.tif 000006
【図５】
2005348047.tif 000007
【図６】
2005348047.tif 000008